(57)【要約】  本発明は、エアーコンディショナーの技術分野に関し、取り付け構造及びエアーコンディショナーを提供する。コネクタに適用され、コネクタが、第２接続端子を含み、第２接続端子が取り付け構造を介して第１台座に取り付けられる取り付け構造であって、取り付け構造は、取り付け本体と、止め具と、位置決め部材とを備え、取り付け本体が第２接続端子に接続され、止め具及び位置決め部材の一端が第１台座に接続され、止め具が取り付け本体を貫通して取り付け本体に係合され、位置決め部材が取り付け本体を貫通する。エアーコンディショナーは、上記取り付け構造を用いる。本発明に係る取り付け構造及びエアーコンディショナーは、第２接続端子の組み立て精度を確保し、第２接続端子の接続精度を向上させ、第２接続端子内のピンが折れたり、曲がったりすることを回避することができる。【選択図】図１
2021503152.tif 000002
【特許請求の範囲】
【請求項１】
コネクタ（１）に適用され、前記コネクタ（１）が第２接続端子（５）を含み、前記第２接続端子（５）が取り付け構造（３１）を介して第１台座に取り付けられる取り付け構造であって、
取り付け本体（３２）と、止め具（３３）と、位置決め部材（３４）とを備え、
前記取り付け本体（３２）が前記第２接続端子（５）に接続され、
前記止め具（３３）及び前記位置決め部材（３４）の一端が前記第１台座に接続され、
前記止め具（３３）が前記取り付け本体（３２）を貫通して前記取り付け本体（３２）に係止され、
前記位置決め部材（３４）が前記取り付け本体（３２）を貫通する、ことを特徴とする取り付け構造。
【請求項２】
前記取り付け本体（３２）に取り付け穴（３６）及び位置決め穴（３７）が開設され、
前記止め具（３３）が前記取り付け穴（３６）を貫通して前記取り付け本体（３２）の側面に係止され、
前記位置決め部材（３４）が前記位置決め穴（３７）を貫通する、ことを特徴とする請求項１に記載の取り付け構造。
【請求項３】
前記取り付け本体（３２）は、２つあり、それぞれ前記第２接続端子（５）の対向する両側に設けられ、それぞれ少なくとも１つの前記取り付け穴（３６）及び少なくとも１つの前記位置決め穴（３７）が開設される、ことを特徴とする請求項２に記載の取り付け構造。
【請求項４】
前記止め具（３３）は、複数の引掛け部（３８）を含み、
各前記引掛け部（３８）の一端に、いずれも第３ストップ面（４１）が設けられ、
前記第３ストップ面（４１）が前記第１台座に向けて設けられ、
複数の前記引掛け部（３８）が前記取り付け本体（３２）を貫通することで、前記第３ストップ面（４１）を前記取り付け本体（３２）の側面に当接し、
複数の前記引掛け部（３８）の前記第３ストップ面（４１）とは反対側の一端がいずれも前記第１台座に接続される、ことを特徴とする請求項１に記載の取り付け構造。
【請求項５】
前記引掛け部（３８）は、弾性接続部（３９）と当接部（４０）とを含み、
前記弾性接続部（３９）の一端が前記第１台座に接続され、
前記当接部（４０）が前記弾性接続部（３９）の他端に接続され、且つ前記第３ストップ面（４１）が前記当接部（４０）の前記弾性接続部（３９）に接近する一面に設けられ、
前記当接部（４０）の前記弾性接続部（３９）とは反対側の一面が斜面である、ことを特徴とする請求項４に記載の取り付け構造。
【請求項６】
複数の前記弾性接続部（３９）は、間隔をおいて円周方向に配列され、
複数の前記当接部（４０）がそれぞれ複数の前記弾性接続部（３９）の互いに離れた側に突設されることで、複数の前記第３ストップ面（４１）をそれぞれ複数の前記弾性接続部（３９）の互いに離れた側に位置させる、ことを特徴とする請求項５に記載の取り付け構造。
【請求項７】
弾性部材（３５）をさらに含み、前記弾性部材（３５）は、複数の弾性接続部（３９）の外側に周設され、
前記第１台座と前記取り付け本体（３２）との間に当接される、ことを特徴とする請求項５に記載の取り付け構造。
【請求項８】
前記位置決め部材（３４）は、複数の位置決め柱（４２）を含み、
複数の前記位置決め柱（４２）の一端が前記第１台座に接続され、且つ複数の前記位置決め柱（４２）の高さがいずれも前記止め具（３３）の高さより高い、ことを特徴とする請求項１に記載の取り付け構造。
【請求項９】
複数のリブ板をさらに含み、複数の前記リブ板は、前記止め具（３３）及び前記位置決め部材（３４）の端部に間隔をおいて設けられ、前記第１台座に接続される、ことを特徴とする請求項１〜８のいずれか１項に記載の取り付け構造。
【請求項１０】
請求項１〜９のいずれか１項に記載の取り付け構造（３１）を備える、ことを特徴とするエアーコンディショナー。
【発明の詳細な説明】
【技術分野】
【０００１】
本発明は、エアーコンディショナーの技術分野に関し、特に、取り付け構造及びエアーコンディショナーに関する。
【背景技術】
【０００２】
電線、信号線などは、エアーコンディショナーのオンオフ運転、及び様々な制御機能の達成に係るエアーコンディショナーの重要な構成部分である。一般的なエアーコンディショナーの電線は、電気制御ボックス内に乱雑に配置されているため、電線を整理する専門職を必要とし、電線が乱雑であることにより電線挿入や電気制御ボックスのカバー閉じの作業効率がいずれも悪い。また、電線詰まり、電線重なりなどの現象が発生しやすく、品質悪化のリスクが高まってしまう。従って、電線の集積端子が出現した。
【０００３】
特に、上下台座が取り外し可能に接続されるエアーコンディショナーに対して、一部の電線が取り外し可能な台座に接続されるが、組み立てるとき、接続端子の組み立てにおいて不正確な問題が存在することにより、接続端子内のピンが折れたり、曲がったりすることが多い。
【発明の概要】
【発明が解決しようとする課題】
【０００４】
これに鑑みて、本発明は、第２接続端子の組み立て精度を確保し、第２接続端子の接続精度を向上させ、第２接続端子内のピンが折れたり、曲がったりすることを回避する取り付け構造を提供することを目的とする。
【課題を解決するための手段】
【０００５】
上記目的を達成するために、本発明の技術案は以下のように実現される。
【０００６】
コネクタに適用され、前記コネクタが第２接続端子を含み、前記第２接続端子が前記取り付け構造を介して第１台座に取り付けられる取り付け構造であって、取り付け本体と、止め具と、位置決め部材とを備え、前記取り付け本体が前記第２接続端子に接続され、前記止め具及び前記位置決め部材の一端が前記第１台座に接続され、前記止め具が前記取り付け本体を貫通して前記取り付け本体に係止され、前記位置決め部材が前記取り付け本体を貫通する。
【０００７】
さらに、前記取り付け本体に取り付け穴及び位置決め穴が開設され、前記止め具が前記取り付け穴を貫通して前記取り付け本体の側面に係止され、前記位置決め部材が前記位置決め穴を貫通する。
【０００８】
さらに、前記取り付け本体は、２つあり、それぞれ前記第２接続端子の対向する両側に設けられ、且つ少なくとも１つの前記取り付け穴及び少なくとも１つの前記位置決め穴が開設される。
【０００９】
さらに、前記止め具は、複数の引掛け部を含み、各前記引掛け部の一端に、いずれも第３ストップ面が設けられ、前記第３ストップ面が前記第１台座に向けて設けられ、複数の前記引掛け部が前記取り付け本体を貫通することで、前記第３ストップ面を前記取り付け本体の側面に当接し、複数の前記引掛け部の前記第３ストップ面とは反対側の一端がいずれも前記第１台座に接続される。
【００１０】
さらに、前記引掛け部は、弾性接続部と当接部とを含み、前記弾性接続部の一端が前記第１台座に接続され、前記当接部が前記弾性接続部の他端に接続され、且つ前記第３ストップ面が前記当接部の前記弾性接続部に接近する一面に設けられ、前記当接部の前記弾性接続部とは反対側の一面が斜面である。
【００１１】
さらに、複数の前記弾性接続部は、間隔をおいて円周方向に配列され、複数の前記当接部がそれぞれ複数の前記弾性接続部の反対側に突設されることで、複数の前記第３ストップ面をそれぞれ複数の前記弾性接続部の反対側に位置させる。
【００１２】
さらに、前記取り付け構造は、弾性部材をさらに含み、前記弾性部材は、複数の弾性接続部の外側に周設され、前記第１台座と前記取り付け本体との間に当接される。
【００１３】
さらに、前記位置決め部材は、複数の位置決め柱を含み、複数の前記位置決め柱の一端が前記第１台座に接続され、且つ複数の前記位置決め柱の高さがいずれも前記止め具の高さより高い。
【００１４】
さらに、前記取り付け構造は、複数のリブ板をさらに含み、複数の前記リブチップは、前記止め具及び前記位置決め部材の端部に間隔をおいて設けられ、前記第１台座に接続される。
【発明の効果】
【００１５】
本発明の取り付け構造は、従来のエアーコンディショナーに比べて、以下の利点を有する。
（１）本発明の取り付け構造は、位置決め部材によって取り付け本体を適切な取り付け位置に正確に位置決めすることができ、止め具によって取り付け本体を第１台座に取り付けることができ、また、取り付け本体と第１台座との間に当接される弾性部材によって、第２接続端子の接続誤差を調整することができる。これにより、第２接続端子を第１台座に正確に取り付けることができ、すなわち、第２接続端子が適宜な位置に位置することを確保でき、第２接続端子の内部のピンが折れたり、曲がったりする現象を回避することができる。
【００１６】
本発明の他の目的は、第２接続端子の組み立て精度を確保し、第２接続端子の接続精度を向上させ、第２接続端子内のピンが折れたり、曲がったりすることを回避するエアーコンディショナーを提供することである。
【００１７】
上記目的を達成するために、本発明の技術案は以下のように実現される。
【００１８】
取り付け構造を備えるエアーコンディショナーであって、前記取り付け構造は、取り付け本体と、止め具と、弾性部材と、位置決め部材とを備え、前記取り付け本体が前記第２接続端子に接続され、前記止め具及び前記位置決め部材の一端が前記第１台座に接続され、前記止め具が前記取り付け本体を貫通して前記取り付け本体に係止され、前記弾性部材が前記止め具に接近して設けられ、且つ前記弾性部材が前記第１台座と前記取り付け本体との間に当接され、前記位置決め部材が前記取り付け本体を貫通する。
【００１９】
本発明のエアーコンディショナーは、従来のそれに比べて、以下の利点を有する。
前記エアーコンディショナーは、上記取り付け構造が従来技術に比べる利点と同じものを有し、ここで繰り返し説明しない。
【００２０】
図面は、本発明の更なる理解を提供するために用いられ、本発明の一部を構成するものである。本発明の例示的な実施例及び説明は、本発明を解釈するためのものであり、本発明に対する不適切な制限を構成するものではない。
【図面の簡単な説明】
【００２１】
【図１】本発明の実施例のコネクタの分解図である。
【図２】本発明の実施例のコネクタの分解図である。
【図３】本発明の実施例の第２端子ユニットの局所的な構造模式図である。
【図４】本発明の実施例の第１接続端子が第２端子ユニットに接続される構造模式図である。
【図５】本発明の実施例の第２端子ユニットの局所的な構造模式図である。
【図６】本発明の実施例の取り付け構造の局所的な構造模式図である。
【図７】本発明の実施例の取り付け構造の構造模式図である。
【図８】本発明の実施例の保護カバーの第１視点の構造模式図である。
【図９】本発明の実施例の保護カバーの第２視点の構造模式図である。
【発明を実施するための形態】
【００２２】
なお、本発明の実施例及び実施例の特徴は、矛盾がない限り、互いに組み合わせることができる。
【００２３】
以下、図面を参照しながら実施例と組み合わせて本発明について詳細に説明する。
【００２４】
第１実施例
図１を参照して、本実施例では、電気制御ボックスの配線を容易にし、且つ脱着しやすいコネクタ１を提供する。コネクタ１は、第１端子ユニット２と、第２端子ユニット３とを含み、第１端子ユニット２が電気制御ボックスに接続され、第２端子ユニット３が第１台座（図示せず）に接続され、且つ第１端子ユニット２が第２端子ユニット３に接続されることで配線を接続することができ、電気制御ボックスを第１台座における電子部材に接続し、回路の導通を達成することができる。
【００２５】
なお、本実施例では、第１台座は、エアーコンディショナー下台座である。他の実施例では、第１台座は、エアーコンディショナー上台座であってもよく、或いは、他の電子部材ハウジングに含まれる台座であってもよいと理解される。
【００２６】
図１及び図２を参照して、第１端子ユニット２は、第１接続端子４と第１摺動構造６とを含み、第１接続端子４が電気制御ボックスに接続され、電気制御ボックスの内部から導出される配線を第１接続端子４によって案内し、電気制御ボックスの内部から導出される配線が乱雑であったり、重なったりする状況を回避できる。また、第１摺動構造６が第１接続端子４の側面に接続される。第２端子ユニット３は、第２接続端子５と第１案内構造７とを含み、第１案内構造７が第２接続端子５の側面に接続される。第１摺動構造６が第１案内構造７に接続され、且つ第１摺動構造６が第１案内構造７に対して第１方向に移動でき、第１接続端子４が第１摺動構造６の第１案内構造７に対する第１方向の摺動によって第２接続端子５に接続される。これにより、第１案内構造７による第１摺動構造６に対する案内によって第１接続端子４を第２接続端子５に接続しやすい。
【００２７】
なお、第１接続端子４及び第２接続端子５には、いずれも第１方向に延在している配線穴８が開設され、第１案内構造７による第１摺動構造６に対する第１方向の案内によって、第１接続端子４が第２接続端子５に接続するまで第１方向に移動するとき、第１接続端子４又は第２接続端子５が配線穴８におけるリード線へ剪断力をもたらすことを回避でき、すなわち、リード線を影響せずに、第１接続端子４と第２接続端子５との間の取り付け効率を向上させることができ、第１接続端子４と第２接続端子５との間の接続を容易にすることができる。本実施例では、第１台座には、取り付け構造３１が設けられる平面（図示せず）を有し、ここで、第１方向は該平面に垂直である。
【００２８】
第１摺動構造６は、第１方向に延在している第１案内ブロック９を含み、第１案内ブロック９が第１接続端子４の側面に接続される。第１方向に延在している第１案内ブロック９が第１案内構造７に嵌合され、且つ第１案内構造７に対して第１方向に摺動することができ、それにより、第１接続端子４が第２接続端子５に対して第２接続端子５に接続するまで第１方向に移動することができる。
【００２９】
本実施例では、第１接続端子４は、略四角柱形である。また、第１案内ブロック９は、複数あり、それぞれ第１接続端子４の対向する２つの側面に接続され、且つ第１方向に第１接続端子４の第１台座とは反対側の一端から第１接続端子４の他端に向けて延在している。さらに、第１案内ブロック９の第１台座とは反対側の一端の厚みが、その延在方向に徐々に減少しており、すなわち、第１案内ブロック９が第１案内構造７に嵌合されるとき、まず第１案内構造７の一端に接触することで、第１案内ブロック９の１つの端面が斜面又は曲面になり、第１案内ブロック９と第１案内構造７との嵌合を容易にする。本実施例では、第１案内ブロック９は、２つあり、それぞれ第１接続端子４の対向して設けられる２つの側面に設けられ、いずれも対向する側面の中線位置に設けられている。
【００３０】
さらに、第１案内構造７は、収容本体１０と、収容本体１０に開設される第１シュート１３とを含み、収容本体１０が第１接続端子４に対応するように第２接続端子５に接続され、第１接続端子４が第２接続端子５に当接するまで収容本体１０に対して第１方向に移動でき、第１案内ブロック９が第１シュート１３の内部に伸び込んで、第１シュート１３に対して第１方向に摺動することができる。収容本体１０による第１接続端子４に対する案内及び第１シュート１３による第１案内ブロック９に対する案内によって、第１接続端子４と第２接続端子５との間の接続案内を容易かつ迅速にし、第１接続端子４と第２接続端子５との間の接続しにくさを大幅に簡略化にすることができる。
【００３１】
本実施例では、収容本体１０の内部には、第１方向に延在している案内空間１２が開設され、第２接続端子５が収容本体１０に設けられ且つ案内空間１２の一端に位置する。第１接続端子４が案内空間１２の内部に伸び込んで、第２接続端子５に当接するまで案内空間１２に沿って摺動することができ、これにより案内空間１２によって第１接続端子４を案内することができる。また、案内空間１２の第２接続端子５とは反対側の端部の口径が、第２接続端子５とは反対側の方向に徐々に増大し、収容本体１０の第２接続端子５とは反対側の端部の口径が、収容本体１０の第２接続端子５に接近する一端の口径より大きく、第１接続端子４を位置合わせしやすく、第１接続端子４が案内空間１２の内部に容易に伸び込むことができる。
【００３２】
さらに、収容本体１０の外側には複数の補強リブ１５が設けられ、複数の補強リブ１５は、収容本体１０の第２接続端子５とは反対側の端部の、案内空間１２に対向する側面に間隔をおいて設けられ、補強リブ１５は、収容本体１０の、口径が大きい一端に設けられ、且つ収容本体１０の外側に接続されることによって、第１接続端子４が案内空間１２の内部に伸び込むとき、収容本体１０に起因する衝撃力を受けることができ、収容本体１０の強度を確保し、収容本体１０の耐用年数を延長させる。
【００３３】
なお、本実施例では、収容本体１０が第１接続端子４に適合し、すなわち、収容本体１０の断面の輪郭線で囲まれた形状が略矩形であることによって、第１接続端子４を案内空間１２の内部に安定して収容することができる。また、複数の補強リブ１５が収容本体１０の、対向して設けられる２つの側面に設けられるが、第１シュート１３が残りの２つの側面に開設される。
【００３４】
収容本体１０の側面に複数の収納部１１が設けられ、複数の第１シュート１３がそれぞれ複数の収納部１１の内部に形成され、且つ複数の第１シュート１３がいずれも収容本体１０の内部と連通する。すなわち、本実施例では、複数の収納部１１がそれぞれ収容本体１０の対向する２つの側面に設けられ、且つ収納部１１が収容本体１０の外側に設けられる。第１シュート１３が収納部１１の内部に開設され、且つ収容本体１０の周壁を貫通して案内空間１２と連通することで、第１接続端子４が案内空間１２の内部に伸び込むとき、第１接続端子４に接続される第１案内ブロック９が第１シュート１３の内部に伸び込んで、第１シュート１３に沿って摺動することができる。さらに、本実施例では、収容本体１０の第２接続端子５とは反対側の端部の、複数の収納部１１に対応する箇所には案内口１４が開設され、案内口１４が収容本体１０の周壁を貫通して第２シュート２４と連通することで、第１接続端子４が案内空間１２に伸び込むとき、案内口１４によって第１案内ブロック９を案内することができ、それにより第１案内ブロック９が第１シュート１３の内部に伸び込みやすい。
【００３５】
本実施例では、収納部１１は第１案内ブロック９に対応し、すなわち、収納部１１は、２つあり、それぞれ収容本体１０における対向する２つの側面に設けられ、すなわち、収容本体１１は、収容本体１０における、収容本体１０の、補強リブ１５が設けられる側面に隣接する２つの側面に設けられる。収納部１１が対向する側面の中線位置に設けられることで、第１接続端子４と案内空間１２とが嵌合されるとき、第１案内ブロック９が第１シュート１３の内部に伸び込やすく、案内空間１２による第１接続端子４に対する案内及び第１シュート１３による第１案内ブロック９に対する案内を容易にする。
【００３６】
第１接続端子４を第２接続端子５に接続する必要があるとき、第１接続端子４を案内空間１２に挿入し、第１案内ブロック９を案内口１４に位置合わせすることで、第１接続端子４を案内口１４を介して第１シュート１３に挿入し、第１方向に第１接続端子４を移動させることで、第１接続端子４を案内空間１２に挿入することができ、第１案内ブロック９を第１シュート１３に挿入することができる。第１接続端子４を第２接続端子５に当接するまで移動させれば、第１接続端子４と第２接続端子５との間の接続を完了させることができる。
【００３７】
なお、本実施例では、第１摺動構造６が第１接続端子４に一体成形され、第１案内構造７が第２接続端子５に一体成形される。他の実施例では、第１摺動構造６は、たとえば溶接又は接着などの他の方式で、第１接続端子４に接続されてもよいことを理解されたい。同様に、他の実施例では、第１摺動構造６は、たとえば溶接又は接着などの他の方式で、第２接続端子５に接続されてもよい。
【００３８】
また、図２、図３及び図４を参照して、コネクタ１は、電気制御ボックスに接続される担持体１８をさらに含む。第１端子ユニット２は、第２摺動構造１７をさらに含み、第２摺動構造１７は、第１接続端子４の側面に接続され、且つ第２方向に延在している。第２摺動構造１７が担持体１８に嵌合されることで、第１接続端子４が第２摺動構造１７と担持体１８との嵌合によって電気制御ボックスに接続される。第２摺動構造１７は、第２方向に延在している複数の第２案内ブロック１９を含み、複数の第２案内ブロック１９が第１接続端子４の側面に接続される。担持体１８には、複数の第２案内ブロック１９に対応する複数の第２シュート２４が開設され、第２案内ブロック１９が第２シュート２４の内部に伸び込んで、第２シュート２４に対して第２方向に移動することができる。すなわち、第２シュート２４による複数の第２案内ブロック１９に対する案内によって、第１接続端子４を電気制御ボックスに接続することができる。
【００３９】
なお、本実施例では、第２方向は、第１方向に垂直である。
【００４０】
また、第１端子ユニット２は、ロック爪部２５をさらに含み、ロック爪部２５は、第１接続端子４の側面に設けられ、且つ第２摺動構造１７の第２方向に沿う一側に位置する。また、担持体１８には、ロック爪部２５に適合する係合部２９がさらに設けられ、係合部２９が第２シュート２４の一端に位置し、ロック爪部２５が係合部２９に係止するまで第１方向に移動することができる。すなわち、第１接続端子４が第２案内ブロック１９によって第２シュート２４に沿って移動するとき、ロック爪部２５を第２方向に移動させ、ロック爪部２５が係合部２９に係止されるとき、第１接続端子４が電気制御ボックスに安定して接続される。
【００４１】
なお、第２摺動構造１７と、担持体１８と、ロック爪部２５と、係合部２９とは、共同で案内取り付け構造１６を形成し、すなわち、案内取り付け構造１６は、担持体１８と、第２摺動構造１７と、ロック爪部２５と、係合部２９とを含む。すなわち、第１接続端子４が案内取り付け構造１６を介して電気制御ボックスに接続され、第１接続端子４と電気制御ボックスとの間の接続難度を簡単にする。
【００４２】
本実施例では、係合部２９が担持体１８の一側に接続され、第２摺動構造１７及びロック爪部２５がいずれも第１接続端子４に接続され、且つロック爪部２５が第２摺動構造１７の一側に位置し、第２摺動構造１７が担持体１８に摺動接続され、且つロック爪部２５が係合部２９に係止するまで、第２摺動構造１７が前記担持体１８に対して摺動することができる。それにより、ロック爪部２５と係合部２９との間の嵌合によって、第１接続端子４と電気制御ボックスとの間の安定した接続を達成する。
【００４３】
複数の第２案内ブロック１９は、それぞれ第１接続端子４における、第１接続端子４の、第１案内ブロック９が設けられる側面に隣接して対向する２つの側面に接続され、且つ第１接続端子４の第１案内ブロック９が設けられる側面に垂直な側辺に近接して設けられる。本実施例では、第１接続端子４の同一側には第２案内ブロック１９が２つ設けられ、２つの第２案内ブロック１９は、それぞれ上記側辺の両端に設けられ、且つ第２方向に配列される。
【００４４】
担持体１８は、担持本体２０と、２つの案内体２１とを含む。担持本体２０は、対向して設けられる第１側と第２側とを有し、担持本体２０の第１側が電気制御ボックスに接続され、接続方式は、一体成形、溶接又は結合などの方式であってもよく、本実施例では、一体成形方式が用いられる。２つの案内体２１は、担持本体２０の第２側に対向して設けられ、２つの案内体２１の間が間隔を有し、第２摺動構造１７が２つの案内体２１の間の隙間を摺動する。第２シュート２４が２つの案内体２１の、互いに接近する側面に開設され、第１接続端子４の対向して設けられる両側に位置する複数の第２案内ブロック１９がそれぞれ２つの案内体２１における第２シュート２４に伸び込んで、第２シュート２４に対して摺動することができる。２つの案内体２１の間の距離は、第１接続端子４の、第２案内体２１が設けられる２つの側面の間の距離に一致し、すなわち、２つの案内体２１の間の距離は、第１接続端子４の厚みに適合することで、第１接続端子４が２つの案内体２１の間を安定して摺動することができる。
【００４５】
案内体２１は、案内部２２と複数の制限部２３とを含み、案内部２２の一側が担持本体２０に接続され、且つ案内部２２が第２方向に延在している。複数の制限部２３は、案内部２２の他側に設けられ、且つ第２方向に配列され、担持本体２０と、案内部２２と、複数の制限部２３とは、第２シュート２４を共同で形成する。
【００４６】
本実施例では、複数の制限部２３がそれぞれ複数の第２案内ブロック１９に対応し、複数の第２案内ブロック１９が第２シュート２４に対して、対向する制限部２３と担持本体２０との間まで摺動することができる。すなわち、本実施例では、制限部２３及び第２案内ブロック１９の点数は、いずれも２つであり、２つの制限部２３がそれぞれ案内部２２の両端に設けられ、それにより、２つの第２案内ブロック１９が第２シュート２４に沿って案内体２１の端部まで摺動するとき、２つの第２案内ブロック１９がそれぞれ２つの制限部２３と担持本体２０との間に位置することができ、制限部２３によって、第２案内ブロック１９が第２シュート２４から外れることを制限することができる。
【００４７】
さらに、係合部２９は、担持本体２０に接続され、且つ案内部２２の第２方向に沿う一端に位置する。ロック爪部２５は、第１接続端子４に接続され、且つ第２案内ブロック１９の第２方向に沿う一側に位置する。対向する２つの案内体２１が案内体２１の端部まで摺動するとき、第１接続端子４に設けられるロック爪部２５を案内部２２に設けられ係合部２９に係止しやすい。
【００４８】
係合部２９の案内部２２とは反対側の一端には、第１ストップ面３０が第２方向に向けて設けられ、ロック爪部２５には、第２案内ブロック１９に向ける第２ストップ面２６が設けられ、第１ストップ面３０が第２ストップ面２６に当接できることで、係合部２９をロック爪部２５に係止する。
【００４９】
本実施例では、係合部２９は、２つあり、それぞれ２つの案内部２２の端部に接続され、且つ案内部２２とは反対側の方向に向けて延在している。また、２つの係合部２９の間の距離は、第２方向に徐々に減少する。それにより、２つの係合部２９の互いに接近する側面が２つの斜面になり、ロック爪部２５を係合部２９に係合しやすい。
【００５０】
同様に、ロック爪部２５の点数は、係合部２９の点数に対応し、すなわち、ロック爪部２５は、２つあり、それぞれ第１案内ブロック９の両側に設けられる。ロック爪部２５は、接続部２７と楔形部２８とを含み、接続部２７の一端が第１接続端子４に接続され、楔形部２８が接続部２７の第１接続端子４とは反対側の一端に接続され、且つ楔形部２８の接続部２７とは反対側の一面が斜面であり、第２ストップ面２６が楔形部２８の接続部２７に接近する一面に設けられる。すなわち、２つの楔形部２８は、それぞれ２つの接続部２７の互いに離れた側面に突設される。
【００５１】
ロック爪部２５が第２方向に係合部２９まで移動するとき、楔形部２８における斜面が係合部２９における斜面に密着し、ロック爪部２５が第２方向に移動し続けるとき、接続部２７を弾性変形させ、２つの接続部２７を互いに接近させることで、楔形部２８が係合部２９を避けることができる。楔形部２８が係合部２９を避けるとき、接続部２７の弾性復元力で楔形部２８を回復して第１ストップ面３０を第２ストップ面２６に当接させれば、ロック爪部２５と係合部２９との間の係合を完了させる。
【００５２】
図５、図６及び図７を参照して、コネクタ１は、取り付け構造３１をさらに含み、取り付け構造３１が第２接続端子５に接続され、且つ第２接続端子５が取り付け構造３１を介して第１台座に接続される。取り付け構造３１は、取り付け本体３２と、止め具３３と、弾性部材３５と、位置決め部材３４とを含み、取り付け本体３２が第２接続端子５に接続される。止め具３３及び位置決め部材３４の一端が第１台座に接続される。止め具３３が取り付け本体３２を貫通して取り付け本体３２に係合することができ、弾性部材３５が止め具３３に接近して設けられ、且つ第１台座と取り付け本体３２との間に当接されることによって、弾性部材３５の付勢力で止め具３３を取り付け本体３２に安定して係合する。位置決め部材３４は取り付け本体３２を貫通し、第２接続端子５が第１台座に接続されるとき、位置決め機能を発揮することに用いられ、位置決め部材３４の位置決め作用で第２接続端子５の位置決め正確さを向上させ、第２接続端子５を適宜な位置に接続できることを確保する。また、弾性部材３５によって第２接続端子５と第１接続端子４との間の接続誤差を解消でき、弾性部材３５によって誤差を自動的に調整でき、使用者による不正確な取り付けによって生じた誤差を減少させ、第２接続端子５と第１接続端子４との挿入接続が不適切であることによりピンが曲がってしまう状況を回避する。
【００５３】
本実施例では、取り付け本体３２には取り付け穴３６及び位置決め穴３７が開設され、止め具３３が取り付け穴３６を貫通して取り付け本体３２の側面に係合される。位置決め部材３４が位置決め穴３７を貫通し、位置決め部材３４と位置決め穴３７との嵌合によって取り付け本体３２の位置決めを達成する。
【００５４】
さらに、取り付け本体３２は、２つあり、それぞれ第２接続端子５の対向する両側に設けられ、且つそれぞれ少なくとも１つの取り付け穴３６及び少なくとも１つの位置決め穴３７が開設され、すなわち、第２接続端子５の対向する両側に設けられる取り付け本体３２を介して、対応する止め具３３及び対応する位置決め穴３７に接続することで、第２接続端子５と第１台座との間の接続安定性を高めることができる。本実施例では、各取り付け本体３２には、いずれも１つの取り付け穴３６及び１つの位置決め穴３７が開設される。
【００５５】
また、止め具３３は、複数の引掛け部３８を含み、複数の引掛け部３８の一端には、いずれも引掛け部３８の他端に向ける第３ストップ面４１が設けられ、引掛け部３８が取り付け本体３２を貫通することで、第３ストップ面４１を取り付け本体３２の側面に当接させることができ、すなわち、引掛け部３８を取り付け本体３２に係止することができる。引掛け部３８の第３ストップ面４１とは反対側の一端が第１台座に接続される。本実施例では、複数の引掛け部３８がいずれも取り付け穴３６を貫通し、且つ引掛け部３８の取り付け穴３６を貫通した一部が、取り付け本体３２の側面に当接することで、引掛け部３８を取り付け本体３２に係止する。
【００５６】
引掛け部３８は、弾性接続部３９と当接部４０とを含み、弾性接続部３９の一端が第１台座に接続され、当接部４０が弾性接続部３９の他端に接続され、且つ第３ストップ面４１が当接部４０の弾性接続部３９に接近する一面に設けられ、当接部４０の弾性接続部３９とは反対側の一面が斜面である。すなわち、本実施例では、当接部４０の弾性接続部３９に接近する一面を取り付け本体３２に当接させることで、引掛け部３８を取り付け本体３２に係合する。
【００５７】
また、本実施例では、複数の弾性接続部３９は、円形を囲むように間隔をおいて設けられる。複数の当接部４０がそれぞれ複数の弾性接続部３９の互いに離れた側に突設され、それにより、複数の第３ストップ面４１がそれぞれ複数の弾性接続部３９の互いに離れた側に位置する。本実施例では、複数の弾性接続部３９の互いに離れた側面で形成される円が、取り付け穴３６の穴径に一致することで、弾性接続部３９が取り付け穴３６を貫通するとき、取り付け穴３６の内周壁に密着でき、弾性接続部３９に突設される当接部４０によって取り付け本体３２に係止できる。また、当接部４０の弾性接続部３９とは反対側の一面が斜面であり、且つ複数の当接部４０における複数の斜面がいずれも複数の弾性接続部３９の互いに離れた側に向けているため、複数の引掛け部３８が取り付け穴３６の内部に伸び込む必要があるとき、当接部４０に設けられる斜面を取り付け穴３６の穴壁に当接させ、引き続き引掛け部３８を取り付け穴３６内に挿入し、取り付け穴３６の穴壁による当接部４０に対する当接によって、複数の弾性接続部３９を弾性変形させて互いに接近させることで、当接部４０を取り付け穴３６に貫通させることができ、複数の当接部４０が取り付け穴３６を貫通した後、弾性接続部３９の弾性復元力によって当接部４０を元の位置に回復させ、第３ストップ面４１を取り付け本体３２の側面に当接させれば、引掛け部３８を取り付け本体３２に係止させる。
【００５８】
本実施例では、引掛け部３８は、対向して設けられる２つあり、すなわち、２つの弾性接続部３９が取り付け穴３６の内部に伸び込むとき、２つの弾性接続部３９がそれぞれ取り付け穴３６の中心の両側に位置し、且つ２つの当接部４０がそれぞれ２つの弾性接続部３９の互いに離れた側面に突設される。
【００５９】
また、弾性部材３５が複数の弾性接続部３９の外側に周設され、すなわち、弾性部材３５が止め具３３に外嵌されることで、取り付け本体３２が止め具３３に取り付けられるとき、弾性部材３５によって取り付け本体３２と第１台座との間に当接することができ、止め具３３で弾性部材３５に案内を提供することによって、弾性部材３５が取り付け本体３２に弾性力を安定して提供することができ、それにより、弾性部材３５が取り付け本体３２に取り付け公差の補正作用を安定かつ効果的に提供する。本実施例では、弾性部材３５は、バネを用いる。
【００６０】
位置決め部材３４は、複数の位置決め柱４２を含み、複数の位置決め柱４２の一端が第１台座に接続され、複数の位置決め柱４２の高さがいずれも止め具３３の高さより高い。それにより、取り付け本体３２が位置決め柱４２及び止め具３３を介して第１台座に取り付けられるとき、まず複数の位置決め柱４２で位置決めされることで、止め具３３が取り付け穴３６に伸び込やすく、取り付け本体３２と止め具３３との間の組み立て効率を高めることができる。
【００６１】
また、位置決め柱４２の第１台座とは反対側の一端に円形フィレットが開設され、すなわち、位置決め柱４２の第１台座とは反対側の端部の直径が、第１台座とは反対側の方向に徐々に減少することで、位置決め柱４２が位置決め穴３７に伸び込みやすく、位置決め柱４２が取り付け本体３２を位置決めしやすい。
【００６２】
さらに、取り付け構造３１は、複数のリブ板５２をさらに含み、複数のリブ板５２は、止め具３３及び位置決め部材３４の端部に間隔をおいて設けられ、且つ第１台座に接続される。すなわち、止め具３３及び位置決め部材３４が第１台座に接続されるとき、複数のリブ板５２が止め具３３及び第１台座に接続され、又は複数のリブ板５２が位置決め部材３４及び第１台座に接続され、リブ板５２によって止め具３３と第１台座との間の接続安定性を強化し、位置決め部材３４及び第１台座との間の接続安定性を強化する。
【００６３】
図８及び図９を参照して、第２端子ユニット３は、ターミナルと保護カバー４３とをさらに含み、ターミナルが第２接続端子５の第１接続端子４とは反対側の一端に接続され、ターミナルを介して接続線を導出する。保護カバー４３の内部には収容空間４７を有し、ターミナルを収容空間４７の内部に収容するように、保護カバー４３が第２接続端子５に蓋設され、保護カバー４３には、位置決め部材３４に適合する位置決め接続部材５１が開設され、位置決め部材３４が位置決め接続部材５１に接続されて保護カバー４３に接続される。
【００６４】
すなわち、本実施例では、保護カバー４３は、カバー本体４４と位置決め接続部材５１とを含む。カバー本体４４が第２接続端子５に蓋設され、第２接続端子５をカバー本体４４の内部に収容し、すなわち、ターミナルをカバー本体４４の内部に収容することができる。位置決め接続部４８は、カバー本体４４に接続され、且つ位置決め部材３４に接続される。
【００６５】
収容空間４７がカバー本体４４の内部に開設され、収容空間４７が第２接続端子５及びターミナルを収容する。位置決め接続部４８が収容空間４７の内部に設けられ、保護カバー４３の構造を簡略化する。
【００６６】
カバー本体４４は、頂板４５と複数の側板４６とを含み、複数の側板４６がそれぞれ頂板４５の複数の側辺に接続され、すなわち、複数の側板４６と頂板４５とは、共同で囲んで収容空間４７を形成し、複数の側板４６の頂板４５とは反対側の一面が第１台座に当接され、且つ頂板４５の１つの側板４６に開口部が形成されることで、第２接続端子５が開口部を介して収容空間４７に伸び込みやすい。本実施例では、頂板４５の形状が第２接続端子５及び取り付け本体３２で形成される一体形状に適合し、それにより、カバー本体４４が第２接続端子５及び取り付け本体３２を収容空間４７の内部に収容し、保護カバー４３が第２接続端子５及び取り付け本体３２に保護効果を効果的に提供することを確保し、水が第２接続端子５又は取り付け本体３２に落ちることを回避する。
【００６７】
また、複数の側板４６と頂板４５との接続箇所に円弧段トランジション段が設けられ、使用者が保護カバー４３を脱着するとき、使用者に傷つけることを回避する。
【００６８】
本実施例では、位置決め接続部４８は、頂板４５の収容空間４７に接近する一面に設けられ、且つ位置決め部材３４に当接される。すなわち、カバー本体４４が第２接続端子５に蓋設されるとき、収容空間４７の内部において、位置決め接続部４８と、取り付け本体３２から伸び出した位置決め部材３４とが相互に当接し、カバー本体４４の位置決めを達成し、カバー本体４４の接続を容易にする。
【００６９】
また、保護カバー４３は、位置決め接続部材５１をさらに含み、位置決め接続部材５１が位置決め接続部４８を貫通して位置決め部材３４に接続され、位置決め接続部材５１と位置決め部材３４とが嵌合されることで、カバー本体４４が第２接続端子５に安定して蓋設される。
【００７０】
本実施例では、位置決め接続部４８の内部に取り付け空間４９を有し、且つ位置決め接続部４８の頂板４５とは反対側の端面に位置決め接続穴５０が開設され、取り付け空間４９が位置決め接続穴５０を介して収容空間４７と連通し、それにより、位置決め接続部材５１が位置決め接続穴５０を貫通できることによって、位置決め接続部材５１と位置決め部材３４との間の接続を容易にする。
【００７１】
さらに、取り付け空間４９の収容空間４７とは反対側の一端の口径が、収容空間４７とは反対側の方向に徐々に増大することで、位置決め接続部材５１が取り付け空間４９の内部に伸び込みやすい。位置決め接続部材５１の組み立て効率を高めることができる。また、位置決め接続穴５０の口径が、取り付け空間４９の口径より小さく、それにより、位置決め接続部材５１が位置決め部材３４に接続されるとき、位置決め接続部４８を位置決め部材３４に押圧挟持することで、カバー本体４４が第２接続端子５に安定して蓋着することを確保することができる。
【００７２】
また、なお、本実施例では、位置決め接続部材５１は、ボルトを用い、ボルトを位置決め接続穴５０に貫通させて位置決め部材３４にねじ込めれば、ボルトのナットによって位置決め接続部４８を位置決め部材３４に押圧挟持することができ、カバー本体４４が第２接続端子５に安定して蓋着することができる。
【００７３】
本実施例に係るコネクタ１は、第１接続端子４に設けられた、第１案内構造７に対して第１方向に摺動可能な第１摺動構造６と、第２接続端子５に設けられる第１案内構造７との相互嵌合によって、第１接続端子４を第２接続端子５に対して第１方向に移動させて第２接続端子５に接続させることができ、第１方向に延在している配線穴８におけるリード線が影響されずに、第１接続端子４と第２接続端子５との間の案内接続を容易にし、第１接続端子４と第２接続端子５との間の脱着を容易にすることを確保できる。第１案内構造７に設けられる案内空間１２及び第１シュート１３の設置によって、第１接続端子４が第２接続端子５に接続されるとき、案内空間１２によって第１接続端子４を案内し、第１シュート１３によって第１案内ブロック９を案内することができることで、第１接続端子４と第２接続端子５との間の案内接続を容易にし、容易かつ迅速に脱着できる。また、第２摺動構造１７と、電気制御ボックスに接続される担持体１８とが設けられ、第２摺動構造１７と担持体１８との摺動嵌合によって、第１接続端子４が第２摺動構造１７を介して担持体１８に接続され、すなわち、第１接続端子４と電気制御ボックスとの間の案内接続を容易にし、第１接続端子４を電気制御ボックスに接続しやすい。第２接続端子５における取り付け構造３１の設置、止め具３３と取り付け本体３２との間の係止、位置決め部材３４と取り付け本体３２との間の位置決め、弾性部材３５による第２接続端子５に対する誤差調整によって、第２接続端子５を第１台座に接続しやすい。保護カバー４３を第２接続端子５に蓋設することで、使用者が第２接続端子５の内部の配線に接触することを防止し、リード線の接続安定性を確保し、使用者の感電危険を回避するとともに、コネクタ１をきれいに整理するとき、水が第２接続端子５の内部に飛び散って配線の短絡を引き起こすことがない。
【００７４】
第２実施例
本実施例では、第１実施例に係るコネクタ１を用い、電気制御ボックスの配線を容易にし、且つ脱着しやすいエアーコンディショナーを提供する。
【００７５】
以上は、本発明の好適な実施例にすぎず、本発明を制限するものではなく、本発明の精神及び原理の範囲内で行われるいかなる補正及び均等な置換や改良などは、いずれも本発明の特許請求の範囲に含まれる。
【符号の説明】
【００７６】
１  コネクタ  
２  第１端子ユニット  
３  第２端子ユニット  
４  第１接続端子  
５  第２接続端子  
６  第１摺動構造  
７  第１案内構造  
８  配線穴  
９  第１案内ブロック  
１０  収容本体  
１１  収納部  
１２  案内空間  
１３  第１シュート  
１４  案内口  
１５  補強リブ  
１６  案内取り付け構造  
１７  第２摺動構造  
１８  担持体  
１９  第２案内ブロック  
２０  担持本体  
２１  案内体  
２２  案内部  
２３  制限部  
２４  第２シュート  
２５  ロック爪部  
２６  第２ストップ面  
２７  接続部  
２８  楔形部  
２９  係合部  
３０  第１ストップ面  
３１  取り付け構造  
３２  取り付け本体  
３３  止め具  
３４  位置決め部材  
３５  弾性部材  
３６  取り付け穴  
３７  位置決め穴  
３８  引掛け部  
３９  弾性接続部  
４０  当接部  
４１  第３ストップ面  
４２  位置決め柱  
４３  保護カバー  
４４  カバー本体  
４５  頂板  
４６  側板  
４７  収容空間  
４８  位置決め接続部  
４９  取り付け空間  
５０  位置決め接続穴  
５１  位置決め接続部材  
５２  リブ板
【図１】
2021503152.tif 000003
【図２】
2021503152.tif 000004
【図３】
2021503152.tif 000005
【図４】
2021503152.tif 000006
【図５】
2021503152.tif 000007
【図６】
2021503152.tif 000008
【図７】
2021503152.tif 000009
【図８】
2021503152.tif 000010
【図９】
2021503152.tif 000011
【国際調査報告】
2021503152.tif 000012
2021503152.tif 000013
2021503152.tif 000014
2021503152.tif 000015